(57)【特許請求の範囲】
【請求項１】
第１のロールの下方に第２のロールである塗工ロールを配し、前記第１のロールと前記塗工ロールの後方に塗工液の液ダムを設け、長尺状のウエブに塗工区間と未塗工区間とを交互に形成する間欠型塗工装置において、
前記塗工ロールの前上方に移動サポートロールを配し、
前記塗工ロールの前下方に固定サポートロールを配し、
前記固定サポートロールから前記移動サポートロールにかけてウエブをを掛け渡して、前記固定サポートロールから前記移動サポートロールへ向かってウエブを搬送させ、
前記液ダムの塗工液を前記第１のロールによって前記塗工ロールの周面へ塗布し、
ウエブの搬送速度と塗工区間の長さに基づいて、前記移動サポートロールを前記塗工ロールの方向に移動させてウエブを前記塗工ロールの周面に一定の圧力で接触させることにより、前記移動サポートロールと前記固定サポートロールとの間に位置するウエブへ塗工液を塗工して塗工区間を形成し、
ウエブの搬送速度と未塗工区間の長さに基づいて、前記移動サポートロールを前記塗工ロールとは反対の方向に移動させてウエブを前記塗工ロールから離すことにより、ウエブに塗工液を塗工しない未塗工区間を形成する
ことを特徴とする間欠型塗工装置。
【請求項２】
第１のロールの下方に第２のロールである塗工ロールを配し、前記第１のロールと前記塗工ロールの後方に塗工液の液ダムを設け、長尺状のウエブに塗工区間と未塗工区間とを交互に形成する間欠型塗工装置において、
前記塗工ロールの前下方に移動サポートロールを配し、
前記塗工ロールの前上方に固定サポートロールを配し、
前記移動サポートロールから前記固定サポートロールにかけてウエブをを掛け渡して、前記移動サポートロールから前記固定サポートロールへ向かってウエブを搬送させ、
前記液ダムの塗工液を前記第１のロールによって前記塗工ロールの周面へ塗布し、
ウエブの搬送速度と塗工区間の長さに基づいて、前記移動サポートロールを前記塗工ロールの方向に移動させてウエブを前記塗工ロールの周面に一定の圧力で接触させることにより、前記移動サポートロールと前記固定サポートロールとの間に位置するウエブへ塗工液を塗工して塗工区間を形成し、
ウエブの搬送速度と未塗工区間の長さに基づいて、前記移動サポートロールを前記塗工ロールとは反対の方向に移動させてウエブを前記塗工ロールから離すことにより、ウエブに塗工液を塗工しない未塗工区間を形成する
ことを特徴とする間欠型塗工装置。
【請求項３】
第１のロールの下方に第２のロールである塗工ロールを配し、前記第１のロールと前記塗工ロールの後方に塗工液の液ダムを設け、長尺状のウエブに塗工区間と未塗工区間とを交互に形成する間欠型塗工装置において、
前記塗工ロールの前上方に上移動サポートロールを配し、
前記塗工ロールの前下方に下移動サポートロールを配し、
前記下移動サポートロールから前記上サポートロールにかけてウエブをを掛け渡して下から上へ向かってウエブを搬送させ、
前記液ダムの塗工液を前記第１のロールによって前記塗工ロールの周面へ塗布し、
ウエブの搬送速度と塗工区間の長さに基づいて、前記上下の移動サポートロールを前記塗工ロールの方向に移動させてウエブを前記塗工ロールの周面に一定の圧力で接触させることにより、前記上下の移動サポートロールの間に位置するウエブへ塗工液を塗工して塗工区間を形成し、
ウエブの搬送速度と未塗工区間の長さに基づいて、前記上下の移動サポートロールを前記塗工ロールとは反対の方向に移動させてウエブを前記塗工ロールから離すことにより、ウエブに塗工液を塗工しない未塗工区間を形成する
ことを特徴とする間欠型塗工装置。
【請求項４】
前記第１のロールが、コンマロールである
ことを特徴とする請求項１から３記載の間欠型塗工装置。
【請求項５】
前記第１のロールが、円筒のロールである
ことを特徴とする請求項１から３記載の間欠型塗工装置。
【請求項６】
ウエブの両面に間欠塗工を行う
ことを特徴とする請求項１から５記載の間欠型塗工装置。
【発明の詳細な説明】
【０００１】
【発明の属する技術分野】
本発明は、長尺状のウエブに塗工液を間欠塗工する間欠型塗工装置に関するものである。
【０００２】
【従来の技術】
フィルム、布箔、紙、金属箔、金属メッシュなどの長尺状のウエブＷの両面に、図３に示すように、塗工液を間欠塗工する場合がある。この間欠塗工をする場合において、表面と裏面との塗工区間と、未塗工区間とを一致させる場合もあるが、図３のように、ａだけ塗工区間をずらして塗工する場合がある。
【０００３】
このような間欠塗工を行う装置として、従来より図４に示すようなリバース方式の塗工装置１００が知られている。
【０００４】
この塗工装置１００は、塗工ロール１０２の上にコンマロール１０４が配置され、塗工ロール１０２とコンマロール１０４の後方に塗工液を溜めた液ダム１０６が設けられ、塗工ロール１０２の前方には、ウエブＷを搬送するためのバックアップロール１０８が配置されている。
【０００５】
この塗工装置１００において間欠塗工を行う場合には、次のように行う。
【０００６】
ウエブＷの表面に塗工区間を形成する場合には、バックアップロール１０８を塗工ロール１０２の方向へ近づけ、塗工ロール１０２とバックアップロール１０８との隙間ｂを狭くし、塗工ロール１０２の周面上にある塗工液をウエブＷの表面に塗工する。
【０００７】
逆に、未塗工区間を形成する場合には、バックアップロール１０８を塗工ロール１０２から離して、隙間ｂを大きくし、塗工ロール１０２の周面上にある塗工液がウエブＷに塗工されないようにする。これによって、未塗工区間を形成することができる。
【０００８】
以上のように、バックアップロール１０８を塗工ロール１０２に対して、接近または離すことにより、ウエブの表面に塗工区間と未塗工区間とを交互に形成する間欠塗工を行うことができる。
【０００９】
【発明が解決しようとする課題】
上記の塗工装置１００においては、次のような問題点がある。
【００１０】
図３で説明したように、ウエブの両面に間欠塗工を行い、かつ、その塗工区間の開始位置と終了位置が異なる場合に、上記構成の塗工装置１００で塗工区間を形成すると、その塗工区間の終了部分に図４に示すような乱れが生じる。
【００１１】
この乱れが生じる原因は、塗工ロール１０２とバックアップロール１０８との隙間ｂが一定であっても、塗工区間の開始位置では裏面側に塗工区間が存在しているため、バックアップロール１０８との隙間が小さくなる。一方、塗工区間の終了位置間際においては、裏面側に塗工区間が存在しないため、バックアップロール１０８との隙間が大きくなる。したがって、この隙間の差が生じることにより、上記のような乱れが生じるわけである。
【００１２】
そこで、本発明は上記問題点に鑑み、間欠塗工の塗工区間に乱れが生じるようなことがない間欠型塗工装置を提供するものである。
【００１３】
【課題を解決するための手段】
請求項１の発明は、第１のロールの下方に第２のロールである塗工ロールを配し、前記第１のロールと前記塗工ロールの後方に塗工液の液ダムを設け、長尺状のウエブに塗工区間と未塗工区間とを交互に形成する間欠型塗工装置において、前記塗工ロールの前上方に移動サポートロールを配し、前記塗工ロールの前下方に固定サポートロールを配し、前記固定サポートロールから前記移動サポートロールにかけてウエブをを掛け渡して、前記固定サポートロールから前記移動サポートロールへ向かってウエブを搬送させ、前記液ダムの塗工液を前記第１のロールによって前記塗工ロールの周面へ塗布し、ウエブの搬送速度と塗工区間の長さに基づいて、前記移動サポートロールを前記塗工ロールの方向に移動させてウエブを前記塗工ロールの周面に一定の圧力で接触させることにより、前記移動サポートロールと前記固定サポートロールとの間に位置するウエブへ塗工液を塗工して塗工区間を形成し、ウエブの搬送速度と未塗工区間の長さに基づいて、前記移動サポートロールを前記塗工ロールとは反対の方向に移動させてウエブを前記塗工ロールから離すことにより、ウエブに塗工液を塗工しない未塗工区間を形成することを特徴とする間欠型塗工装置である。
【００１４】
請求項２の発明は、第１のロールの下方に第２のロールである塗工ロールを配し、前記第１のロールと前記塗工ロールの後方に塗工液の液ダムを設け、長尺状のウエブに塗工区間と未塗工区間とを交互に形成する間欠型塗工装置において、前記塗工ロールの前下方に移動サポートロールを配し、前記塗工ロールの前上方に固定サポートロールを配し、前記移動サポートロールから前記固定サポートロールにかけてウエブをを掛け渡して、前記移動サポートロールから前記固定サポートロールへ向かってウエブを搬送させ、前記液ダムの塗工液を前記第１のロールによって前記塗工ロールの周面へ塗布し、ウエブの搬送速度と塗工区間の長さに基づいて、前記移動サポートロールを前記塗工ロールの方向に移動させてウエブを前記塗工ロールの周面に一定の圧力で接触させることにより、前記移動サポートロールと前記固定サポートロールとの間に位置するウエブへ塗工液を塗工して塗工区間を形成し、ウエブの搬送速度と未塗工区間の長さに基づいて、前記移動サポートロールを前記塗工ロールとは反対の方向に移動させてウエブを前記塗工ロールから離すことにより、ウエブに塗工液を塗工しない未塗工区間を形成することを特徴とする間欠型塗工装置である。
【００１５】
請求項３の発明は、第１のロールの下方に第２のロールである塗工ロールを配し、前記第１のロールと前記塗工ロールの後方に塗工液の液ダムを設け、長尺状のウエブに塗工区間と未塗工区間とを交互に形成する間欠型塗工装置において、前記塗工ロールの前上方に上移動サポートロールを配し、前記塗工ロールの前下方に下移動サポートロールを配し、前記下移動サポートロールから前記上サポートロールにかけてウエブをを掛け渡して下から上へ向かってウエブを搬送させ、前記液ダムの塗工液を前記第１のロールによって前記塗工ロールの周面へ塗布し、ウエブの搬送速度と塗工区間の長さに基づいて、前記上下の移動サポートロールを前記塗工ロールの方向に移動させてウエブを前記塗工ロールの周面に一定の圧力で接触させることにより、前記上下の移動サポートロールの間に位置するウエブへ塗工液を塗工して塗工区間を形成し、ウエブの搬送速度と未塗工区間の長さに基づいて、前記上下の移動サポートロールを前記塗工ロールとは反対の方向に移動させてウエブを前記塗工ロールから離すことにより、ウエブに塗工液を塗工しない未塗工区間を形成することを特徴とする間欠型塗工装置である。
【００１６】
請求項４の発明は、前記第１のロールが、コンマロールであることを特徴とする請求項１から３記載の間欠型塗工装置である。
【００１７】
請求項５の発明は、前記第１のロールが、円筒のロールであることを特徴とする請求項１から３記載の間欠型塗工装置である。
【００１８】
請求項６の発明は、ウエブの両面に間欠塗工を行うことを特徴とする請求項１から５記載の間欠型塗工装置である。
本発明の間欠型塗工装置であると、移動サポートロールによって、塗工ロールに対しウエブを接触させているため、塗工区間に乱れが生じることがない。
【００１９】
【発明の実施の形態】
以下、本発明の一実施例を図１から図３に基づいて説明する。
【００２０】
本実施例の間欠型塗工装置１０は、図３に示すように、ウエブＷの両面に、塗工区間と未塗工区間とを間欠塗工する装置である。
【００２１】
（塗工装置の構造）
塗工装置１０の構造について説明する。
【００２２】
塗工ロール１２の上方にコンマロール１４が配置され、塗工ロール１２とコンマロール１４の後方に塗工液を溜めた液ダム１６が配置されている。
【００２３】
塗工ロール１２の前下方には固定サポートロール１８が配置され、前上方には移動サポートロール２０が配置されている。
【００２４】
例えば、裏面が間欠塗工されたウエブＷは、固定サポートロール１８から移動サポートロール２０にかけ渡され、搬送速度Ｖで下から上に移動している。
【００２５】
移動サポートロール２０は、エアシリンダ２２によって図１において左右方向に移動可能に設けられている。エアシリンダ２２は、マイクロコンピュータよりなる制御部２４によって制御されている。制御部２４には、ウエブＷの搬送速度Ｖと、ウエブＷの表面に形成する塗工区間の長さＸと、未塗工区間の長さＹが入力されている。なお、搬送速度Ｖはリアルタイムに現在の速度が入力される。
【００２６】
（塗工装置の動作状態）
上記構成の塗工装置１０の動作状態について説明する。
【００２７】
まず、塗工区間を形成する場合について説明する。
【００２８】
液ダム１６に溜められた塗工液は、コンマロール１４と塗工ロール１２との隙間を通って塗工ロール１２の周面に塗布される。この場合に、コンマロール１４の先端にあるエッジによって、その量が制限される。一方、移動サポートロール２０は、ウエブＷを塗工ロール１２の周面に接触させる位置までエアシリンダ２２によって移動し、かつ、一定の圧力で押圧している。
【００２９】
これによって、塗工ロール１２の周面に塗付された塗工液は、ウエブＷの表面に塗工され、塗工区間が形成される。
【００３０】
この場合に、図１に示すように、塗工区間の開始位置では、裏面にも塗工区間が形成されているため、この部分での厚みは裏面の塗工区間の厚さとウエブＷの厚さとの合計した厚みとなっている。しかし、移動サポートロール２０は、エアシリンダ２２によって一定の圧力で押圧されて、塗工ロール１２にウエブＷを接触させている。そのため、塗工部分の厚みが裏面の塗工区間の厚さとウエブＷの厚さの合計であっても、これに関係なくウエブＷの表面が塗工ロール１２に接触して、その表面に塗工液を塗工できる。
【００３１】
また、塗工区間の終了位置においては、裏面には塗工区間が存在しないため、この部分での厚さは、開始位置とは異なりウエブＷのみになる。しかし、移動サポートロール２０は、一定の圧力で塗工ロール１２へエアシリンダ２２によって押圧されている。そのために、この部分の厚みに関係なくウエブＷの表面が塗工ロール１２に接触して、その表面に塗工液が塗工される。この場合に、その接触の状態は、塗工区間の開始位置と終了位置とで同じであるため、裏面の間欠塗工によってウエブＷの厚さに変化があっても、表面の塗工区間に乱れが生じたりすることがない。
【００３２】
未塗工区間を形成する場合には、図２に示すように、移動サポートロール２０をエアシリンダ２２によって塗工ロール１２から離して、ウエブＷの表面に塗工液が付着しないようにする。これによって、未塗工区間が形成される。
【００３３】
以上の塗工区間と未塗工区間とを形成するタイミングは、搬送速度Ｖと塗工区間の長さＸと未塗工区間の長さＹによって決定され、移動サポートロール２０が塗工ロール１２へウエブＷを接触させている時間Ｔ１はＴ１＝Ｘ／Ｖとなり、未塗工区間を形成するための時間Ｔ２はＴ２＝Ｙ／Ｖとなる。
【００３４】
（変更例１）
上記実施例では、塗工ロール１２の上方に設けられているロールはコンマロール１４によって形成したが、これに代えて通常の円筒のロールを配置してもよい。
【００３５】
（変更例２）
上記実施例では、ウエブＷの両面に間欠塗工を行う場合について説明したが、塗工装置１０においては、両面の間欠塗工のみでなく、片面の間欠塗工を行う場合であっても使用できる。この場合であっても、塗工区間と未塗工区間とを、正確に形成することができる。
【００３６】
（変更例３）
上記実施例では、移動サポートロール２０をエアシリンダ２２で移動、押圧させたが、これに代えてモータによって移動、押圧させてもよい。
【００３７】
（変更例４）
上記実施例では、塗工ロール１４の前上方のサポートロールを移動サポートロール、前下方を固定サポートロールしたが、これに代えて、塗工ロール１４の前下方のサポートロールを移動サポートロール、前上方を固定サポートロールにしてもよい。
【００３８】
この場合において、移動サポートロールから固定サポートロールにかけてウエブを掛け渡して、前記移動サポートロールから前記固定サポートロールへ向かってウエブを搬送させる。
【００３９】
そして、移動サポートロールを塗工ロールの方向に移動させてウエブを塗工ロールの周面に接触させることにより、ウエブへ塗工液を塗工して塗工区間を形成する。また、移動サポートロールを塗工ロールとは反対の方向に移動させてウエブを塗工ロールから離すことにより、ウエブに塗工液を塗工しない未塗工区間を形成する。
【００４０】
（変更例５）
上記実施例では、塗工ロール１４の前上方のサポートロールを移動サポートロール、前下方を固定サポートロールしたが、これに代えて、塗工ロール１４の前上方及び前下方の両方のサポートロールを移動サポートロールにしてもよい。
【００４１】
この場合において、下の移動サポートロールから上の移動サポートロールにかけてウエブを掛け渡して、下から上へウエブを搬送させる。
【００４２】
そして、上下の移動サポートロールを塗工ロールの方向に移動させてウエブを塗工ロールの周面に接触させることにより、ウエブへ塗工液を塗工して塗工区間を形成する。また、上下の移動サポートロールを塗工ロールとは反対の方向に移動させてウエブを塗工ロールから離すことにより、ウエブに塗工液を塗工しない未塗工区間を形成する。
【００４３】
【発明の効果】
本発明の間欠型塗工装置であると、ウエブへ間欠塗工を行う場合に、塗工区間の部分に乱れが生じることなく形成することができる。
【図面の簡単な説明】
【図１】  本発明の一実施例を示す塗工装置であって、塗工区間を形成している場合の説明図である。
【図２】  同じく未塗工区間を形成している場合の説明図である。
【図３】  ウエブＷの両面に間欠塗工を行った場合の説明図である。
【図４】  従来の塗工装置の説明図である。
【符号の説明】
１０．．．  塗工装置
１２．．．  塗工ロール
１４．．．  コンマロール
１６．．．  液ダム
１８．．．  固定サポートロール
２０．．．  移動サポートロール
２２．．．  エアシリンダ
２４．．．  制御部
【図１】
0003762963.tif 000002
【図２】
0003762963.tif 000003
【図３】
0003762963.tif 000004
【図４】
0003762963.tif 000005